(57)【要約】【課題】電球、反射鏡及びレンズのメンテナンス性に優れたスポットライトを提供すること。【解決手段】前後に開口する筒体１１、筒体の後端に筒体の後部を支点１２として開閉可能に備えられた蓋体１３、筒体の前方側に収容されているレンズ１４、レンズと蓋体との間に配置されている、中央に孔を持つ凹面反射鏡１５、レンズと凹面反射鏡との間に配置された管球１６ａと、管球に接続し且つ凹面反射鏡の孔から後方側に突き出された口金１６ｂとを備える電球１６、および電球を口金が挿入された状態で支持するソケット１７を含み、前記の凹面反射鏡１５及びソケット１７が、蓋体の筒体側の壁面に筒体の前後方向に移動可能に備えられた可動支持具１８に支持固定されていることを特徴とするスポットライト。【選択図】図１
2009181795.tif 000002
【特許請求の範囲】
【請求項１】
前後に開口する筒体、筒体の後端に該筒体の後部を支点として開閉可能に備えられた蓋体、該筒体の前方側に収容されているレンズ、該レンズと蓋体との間に配置されている、中央に孔を持つ凹面反射鏡、レンズと凹面反射鏡との間に配置された管球と、該管球に接続し且つ凹面反射鏡の孔から後方側に突き出された口金とを備える電球、および該電球を口金が挿入された状態で支持するソケットを含み、
前記の凹面反射鏡及びソケットが、蓋体の筒体側の壁面に筒体の前後方向に移動可能に備えられた可動支持具に支持固定されていることを特徴とするスポットライト。
【請求項２】
凹面反射鏡の前端が、可動支持具を最も後方に移動させた状態で筒体の後端よりも前方側に配置され、そして筒体と蓋体とが、筒体の内壁面で、かつ前記反射鏡の前端と筒体の後端との間の位置を支点として傾斜移動が可能な接続具を介して互いに接続されている請求項１に記載のスポットライト。
【発明の詳細な説明】
【技術分野】
【０００１】
本発明は、舞台あるいは放送局のスタジオで使用されるスポットライトに関する。
【背景技術】
【０００２】
演劇やコンサートが行なわれる舞台、あるいは放送局のスタジオには、多数のスポットライトが備えられている。
【０００３】
特許文献１には、前後に開口する筒体（灯体）、筒体の後端に開閉可能に備えられた蓋体（ソケット保持体の後面板）、筒体の前方側に収容されているレンズ、レンズと蓋体との間に配置されている、中央に開口部を持つ凹面反射鏡（反射器）、レンズと凹面反射鏡との間に配置された管球（電球の発光部分）と、管球に接続し且つ凹面反射鏡の開口部から後方側に突き出された口金とを備える電球、および電球を口金が挿入された状態で支持するソケットを含むスポットライトが開示されている。
【０００４】
このスポットライトの筒体の後方側の開口（電球取出し口）には、ソケットが固定されたソケット保持体が嵌め合わされている。同文献には、前記のソケット保持体を筒体の後方側へ引き出したのちに後方位置にて回転移動させることにより、ソケットと電球とが筒体の外部に突き出され、且つ電球がソケットと共に縦向きに配置されるため、電球の交換を容易に行なうことができると記載されている。
【０００５】
特許文献２のスポットライトでは、先ず筒体の後端に備えられた蓋（後面板）を開け、次いで筒体の内部に設置された反射鏡を、その下端部を支点として傾斜移動させて筒体内部の反射鏡の上方に間隙を形成し、そして反射鏡の前方側に配置された電球を、前記間隙を通じて筒体の後方側の開口から外部に取り出すことにより電球の交換が行なわれる。
【特許文献１】特開２００３−１５１３０３号公報
【特許文献２】特開２０００−５７８１０号公報
【発明の開示】
【発明が解決しようとする課題】
【０００６】
一般に、スポットライトには、前記のような電球の交換の他に、スポットライトの光量の低下を抑制するため反射鏡の前面（凹面）に付着した汚れを拭き取ったり、レンズを取り外してレンズの表面に付着した汚れを洗浄したりするメンテナンスが必要とされる。また、スポットライトは、例えば、天井などの高所に、照射光が斜め下を向くように傾斜した状態で設置される。従って、レンズは、取り外しの作業での落下を防止するため、筒体の後方側の開口から外部に取り出すことが望ましい。
【０００７】
前記の特許文献１及び特許文献２のスポットライトは、いずれも電球の交換を容易とする工夫がされている。しかしながら、特許文献１のスポットライトは、反射鏡の前面に付着した汚れを拭き取るには、筒体から反射鏡を取り外す必要がある。また、特許文献１及び特許文献２のスポットライトは、洗浄のためにレンズを筒体の後方側の開口から外部に取り出すためには、筒体から反射鏡を取り外す必要がある。
【０００８】
本発明の課題は、電球、反射鏡及びレンズのメンテナンス性に優れたスポットライトを提供することにある。
【課題を解決するための手段】
【０００９】
本発明は、前後に開口する筒体、筒体の後端に筒体の後部を支点として開閉可能に備えられた蓋体、筒体の前方側に収容されているレンズ、レンズと蓋体との間に配置されている、中央に孔を持つ凹面反射鏡、レンズと凹面反射鏡との間に配置された管球と、管球に接続し且つ凹面反射鏡の孔から後方側に突き出された口金とを備える電球、および電球を口金が挿入された状態で支持するソケットを含み、前記の凹面反射鏡及びソケットが、蓋体の筒体側の壁面に筒体の前後方向に移動可能に備えられた可動支持具に支持固定されていることを特徴とするスポットライトにある。
【００１０】
本発明のスポットライトにおいては、凹面反射鏡の前端が、可動支持具を最も後方に移動させた状態で筒体の後端よりも前方側に配置され、そして筒体と蓋体とが、筒体の内壁面で、かつ前記反射鏡の前端と筒体の後端との間の位置を支点として傾斜移動が可能な接続具を介して互いに接続されていることが好ましい。
【発明の効果】
【００１１】
本発明のスポットライトは、その主要部品の全て、すなわち電球、凹面反射鏡、そしてレンズのメンテナンスを、容易に且つ短時間で行なうことができる。特に、本発明のスポットライトは、凹面反射鏡を取り外すことなく、レンズや凹面反射鏡のメンテナンスを容易に且つ短時間で行なうことができる。このため、レンズや凹面反射鏡のメンテナンスを頻繁に実施することができる。従って、本発明のスポットライトは、長期間に渡って安定した高い光量の光が要求される舞台やスタジオ等で特に有利に使用することができる。
【発明を実施するための最良の形態】
【００１２】
本発明のスポットライトを添付の図面を用いて説明する。図１は、本発明のスポットライトの構成例を示す部分断面図である。そして図２は、図１に示す電球１６、凹面反射鏡１５、ソケット１７、および可動支持具１８を上から見た拡大図である。
【００１３】
スポットライト１０は、前後に開口する筒体１１、筒体１１の後端に筒体１１の後部を支点１２として開閉可能に備えられた蓋体１３、筒体１１の前方側に収容されているレンズ１４、レンズ１４と蓋体１３との間に配置されている、中央に孔１５ａを持つ凹面反射鏡１５、レンズ１４と凹面反射鏡１５との間に配置された管球１６ａと、管球１６ａに接続し且つ凹面反射鏡１５の孔１５ａから後方側に突き出された口金１６ｂとを備える電球１６、および電球１６を口金１６ｂが挿入された状態で支持するソケット１７などから構成されている。このスポットライト１０は、前記の凹面反射鏡１５及びソケット１７が、蓋体１３の筒体側の壁面に筒体１１の前後方向に移動可能に備えられた可動支持具１８に支持固定されていることに大きな特徴がある。
【００１４】
電球１６は、管球１６ａと口金１６ｂとを備えている。管球１６ａは、通常、ガラスから形成される。口金１６ｂとしては、例えば、バイポスト型の口金が用いられている。バイポスト型の口金１６ｂには、ソケット１７に挿入される一対の棒状の外部電極端子（図示は略する）が備えられている。バイポスト型の口金１６ｂに代えて、ねじ込み型の口金などの公知の口金を用いることができる。
【００１５】
管球１６ａの内部には、前記の口金１６ｂの外部電極端子と電気的に接続された一対の棒状支持電極２１ａ、２１ｂと、棒状支持電極２１ａ、２１ｂの先端部に架設されたフィラメント１６ｃが配設されている。
【００１６】
フィラメント１６ｃとしては、例えば、例えば、タングステンフィラメントから形成されたコイルを、更に螺旋状に巻いたもの（一般に、二重コイルと呼ばれている）が用いられている。
【００１７】
管球１６ａの内部には、管球１６ａやフィラメント１６ｃの黒化を抑制するため、ハロゲンもしくはハロゲン化合物（例、ＣＨ3Ｂｒ、ＣＨ2Ｃｌ2 ）のガスを封入することが好ましい。ハロゲンもしくはハロゲン化合物のガスが封入された電球は、ハロゲン電球と呼ばれている。管球１６ａの内部には、ハロゲンもしくはハロゲン化合物のガスの他にも、窒素ガス、酸素ガス、アルゴンガスなどを封入してもよい。
【００１８】
ソケット１７としては、電球１６の口金１６ｂに対応する公知のソケットが用いられる。ソケット１７は、電球１６を口金１６ｂが挿入された状態で仮固定するロック機構を備えていることが好ましい。
【００１９】
電球１６は、電源（図示は略する）にて発生した電気エネルギーを、電源ケーブル２２、電気配線２３、ソケット１７、口金１６ｂ、そして棒状支持電極２１ａ、２１ｂを介してフィラメント１６ｃに付与することにより発光する。なお、電球１６の発熱による筒体１１の内部の温度上昇を抑制するため、筒体１１には通風機３９ａ、３９ｂが備えられている。
【００２０】
電球１６が発生した光は、直接的に、あるいは反射鏡１５の前面（凹面）での反射を介して間接的にレンズ１４に到達し、次いでレンズ１４で屈折され、例えば、舞台やスタジオの所定の領域に照射される。以下、スポットライトの光が照射される領域を、照射領域と云う。
【００２１】
凹面反射鏡１５としては、例えば、球面反射鏡が用いられている。球面反射鏡に代えて、楕円面反射鏡や放物面反射鏡などの公知の凹面反射鏡を用いることができる。
【００２２】
レンズ１４としては、例えば、フレネルレンズが用いられている。フレネルレンズに代えて、凸レンズなどの公知のレンズを用いることができる。
【００２３】
そして、本発明のスポットライト１０では、凹面反射鏡１５とソケット１７とが、蓋体１３の筒体１１の側の壁面に筒体の前後方向に移動可能に備えられた可動支持具１８に支持固定されている。凹面反射鏡１５は、後に説明する可動支持具１８の支持板２８に、例えば、支持材２４ａ、２４ｂなど（反射鏡１５よりも図１の紙面に対して手前側にある支持材は図示していない）を用いて固定されている。
【００２４】
可動支持具１８は、蓋体１３に固定されたガイド軸２５ａ、２５ｂ、各々のガイド軸の周囲に摺動可能に嵌め合わされたブシュ２６ａ、２６ｂ、蓋体１３に回転可能に取り付けられたねじ軸２７ａと、ねじ軸２７ａに嵌め合わされたナット２７ｂとからなる送りねじ２７、そして前記のブシュ２６ａ、２６ｂ及びナット２７ｂに固定された支持板２８から構成されている。
【００２５】
支持板２８は、ブシュ２６ａ、２６ｂが、それぞれガイド軸２５ａ、２５ｂに沿って摺動可能であるため、ガイド軸の長さ方向（筒体１１の前後方向と一致する）に移動可能とされている。そして、前記の送りねじ２７のねじ軸２７ａの後端部に備えられた摘み２９を回すことにより、支持板２８を、ナット２７ｂと共にねじ軸２７ａの長さ方向（筒体１１の前後方向と一致する）に沿って前後に移動させることができる。この支持板２８の移動により、ソケット１７に支持された電球１６と凹面反射鏡１５とを、筒体１１の前後方向に移動させることができる。
【００２６】
支持板２８を筒体１１の前後方向に移動させる機構に特に制限はなく、例えば、前記のブシュ２６ａ、２６ｂの各々としてボールブシュを用いたり、あるいは送りねじ２７としてボールねじを用いたりすることもできる。また、前記のブシュ２６ａ、２６ｂ及び送りねじ２７を用いずに、支持板２８を、公知の直動駆動装置を用いて移動してもよい。
【００２７】
そして、可動支持具１８を用いて、電球１６及び凹面反射鏡１５を、筒体１１の前方側あるいは後方側に移動することにより、スポットライト１０の光の照射領域を拡大あるいは縮小することができる。例えば、電球１６及び凹面反射鏡１５を、図１に実線で示す位置から二点鎖線で示す位置まで前方側に移動させることにより、スポットライト１０の光の照射領域を拡大することができる。
【００２８】
筒体１１の前面の上下左右の各々の端部には、合計で四枚のバンドア３１ａ、３１ｂ、〜が備えられている。各々のバンドアは、その基部を支点として傾斜移動させることができる。これらのバンドアの傾斜角度の設定により、スポットライトの光の照射領域における照度を大きく変動させることなく、前記照射領域を拡大あるいは縮小することができる。また、例えば、レンズ１４の前方側にカラーフィルタ３２を設置してスポットライト１０の発光色を様々な色に設定することもできる。
【００２９】
筒体１１の後端には、筒体１１の後部を支点１２として開閉可能な蓋体１３が備えられている。蓋体１３には、蓋体１３に備えられた軸３３を支点として傾斜移動が可能な仮止め具３４が備えられている。この仮止め具３４の前方側に形成された突起３４ａと、筒体１１の後端から内側に突き出された突起１１ａとを係合させることにより、蓋体１３が不用意に開くことを防止することができる。
【００３０】
また、可動支持具１８を前方側に移動させた状態では、押さえ板４１が仮止め具３４の下端部３４ｃの真下に配置され、これにより仮止め具３４を傾斜移動させることができなくなるため、蓋体１３を開けることはできない。すなわち、蓋体１３は、可動支持具１８が反射鏡１５と共に最も後方側に配置されたときにのみ開けることができるように構成されている。反射鏡１５が前方側に配置された状態で蓋体１３を開けると、反射鏡１５が筒体１１の内壁面に接触するからである。
【００３１】
そして、この仮止め具３４を、その操作部３４ｂを上方に押し上げて図１に二点鎖線で示した位置に配置すると、前記の突起３４ａと突起１１ａとの係合が解除されるため、蓋体１３を取っ手３５を後方側に引いて開けることができる。
【００３２】
図３は、スポットライト１０を蓋体１３が半開した状態で示す図であり、そして図４は、スポットライト１０を蓋体１３が全開した状態で示す図である。
【００３３】
スポットライト１０は、図４に示すように蓋体１３を全開させると電球１６が筒体１１の外部に配置されるため、電球１６のメンテナンスを容易に行なうことができる。例えば、電球１６の管球１６ａに付着した汚れ（例、埃など）の拭き取り、あるいはフィラメント１６ｃが断線した場合の電球１６の交換を容易に且つ短時間で行なうことができる。
【００３４】
また、スポットライト１０は、蓋体１３を全開させると電球１６と共に凹面反射鏡１５も筒体１１の外部に配置されるため、凹面反射鏡１５のメンテナンスも容易に行なうことができる。例えば、凹面反射鏡１５の前面（凹面）に付着した汚れを、容易に且つ短時間で拭き取ることができる。
【００３５】
更にまた、スポットライト１０は、蓋体１３を全開させると凹面反射鏡１５が筒体１１の外部に取り出され、これにより筒体１１の内部のレンズ１４の後方側に広い作業スペースが形成されるため、レンズ１４のメンテナンスも容易に行なうことができる。例えば、筒体１１の後方側の開口から筒体１１の内部に手を入れて、レンズ１４の後方側の表面に付着した汚れを簡単に且つ短時間で拭き取ることができる。また、レンズ１４を固定しているボルト３６を取り外したのち、レンズ１４を筒体１１の後方側の開口から外部に取り出して洗浄することもできる。そして、これらのレンズのメンテナンスの作業は、凹面反射鏡１５を取り外すことなく容易に行なうことができる。
【００３６】
そして前述のように、レンズ１４を筒体１１の前方側の開口ではなく、後方側の開口から外部に取り出すことにより、筒体１１の内部に、レンズ１４を筒体１１の前方側の開口から外部に飛び出さないように設置することができる。例えば、スポットライト１０のレンズ１４は、その周囲をレンズ１４の外径よりも小さな径にて開口する環状の支持具３７で支持されている。このため、前記のようにボルト３６を取り外す際にレンズ１４が急に外れても、レンズ１４は筒体１１の底に落ちるだけで、筒体の前方側の開口から飛び出して落下することはない。従って、レンズ１４を筒体１１の外部に安全に取り出すことができる。なお、前記の環状の支持具３７を用いる代わりに、筒体１１の内部のレンズよりも前方側に網を張ったり、あるいは筒体１１のレンズ１４よりも前方側の部分の内径をレンズ１４の外径よりも小さくすることにより、前記のレンズの落下を防止することもできる。
【００３７】
このように、本発明のスポットライト１０は、その主要部品の全て、すなわち電球１６、凹面反射鏡１５、そしてレンズ１４のメンテナンスを、容易に、短時間で、そして安全に行なうことができる。特に、本発明のスポットライトは、凹面反射鏡１５を取り外すことなく、レンズ１４や凹面反射鏡１５のメンテナンスを容易に且つ短時間で行なうことができる。このため、レンズ１４や凹面反射鏡１５のメンテナンスを頻繁に実施することができる。従って、本発明のスポットライト１０は、長期間に渡って安定した高い光量の光が要求される舞台やスタジオ等で特に有利に使用することができる。
【００３８】
図１に示すように、本発明のスポットライト１０においては、凹面反射鏡１５の前端が、可動支持具１８を最も後方に移動させた状態（反射鏡１５が図に実線で示す位置に配置された状態）で筒体１１の後端よりも前方側に配置され、そして筒体１１と蓋体１３とが、筒体１１の内壁面で、かつ前記反射鏡１５の前端と筒体１１の後端との間の位置を支点１２として傾斜移動が可能な接続具１９を介して互いに接続されていることが好ましい。
【００３９】
図５に示すように、接続具１９としては、支点１２を構成する軸（１２）を回転可能に支持する基板１９ａと、前記の軸に固定された可動アーム１９ｂとを備える公知のヒンジが用いられている。
【００４０】
図３に示すように、筒体１１の内壁面で、かつ反射鏡１５の前端と筒体１１の後端との間の位置に支点１２を配置すると、筒体１１の直径を小さくする、すなわちスポットライト１０を小型化することが可能になる。例えば、前記の支点１２を中心とする反射鏡１５の頂部の回転半径（Ｒａ）は、筒体１１の後端の位置（図にＸ印で示した位置）を中心とする反射鏡１５の頂部の回転半径（Ｒｂ）よりも小さくなる。このため、反射鏡１５の前端と筒体１１の後端との間の位置に支点１２を配置すると、反射鏡１５の頂部は図に記入した矢印３８ａに沿って移動するため、筒体１１の直径が小さい場合であっても、反射鏡１５を筒体１１の後方側の開口から外部に取り出すことができる。これに対して、筒体１１の後端の位置（図にＸ印で示した位置）に支点を配置すると、反射鏡１５の頂部は矢印３８ｂに沿って移動するため、筒体１１の直径を更に大きな値に設定しない限り、反射鏡１５を筒体１１の後方側の開口から外部に取り出すことはできない。なお、前記の「筒体の内壁面」には、この内壁面に設置された別の部品（例えば、通風機３９ｂ）の表面も含まれる。
【００４１】
図３に示すように、反射鏡１５の前端と筒体１１の後端との距離をＬａとした場合、上記の支点１２と筒体１１の後端との距離Ｌｂは、０．１Ｌａ〜０．５Ｌａの範囲内の値に設定されていることが好ましい。この距離Ｌｂを０．１Ｌａ未満の値に設定すると、反射鏡１５の頂部の回転半径が大きくなる。このため、反射鏡１５を筒体１１の外部に取り出すためには、筒体１１の直径を大きな値に設定（スポットライトのサイズを大きく）する必要がある。その一方で、距離Ｌｂを０．５Ｌａを超える値に設定すると、反射鏡１５の底部の回転半径が小さくなる。このため、筒体１１の直径を大きな値に設定（スポットライトのサイズを大きく）しないと、蓋体１３を開ける際に反射鏡１５の底部が筒体１１の内壁面に接触する場合がある。
【図面の簡単な説明】
【００４２】
【図１】本発明のスポットライトの構成例を示す部分断面図である。
【図２】図１に示す電球１６、凹面反射鏡１５、ソケット１７、および可動支持具１８を上から見た拡大図である。
【図３】図１のスポットライト１０を蓋体１３が半開した状態で示す図である。
【図４】図１のスポットライト１０を蓋体１３が全開した状態で示す図である。
【図５】図１に示す接続具１９の拡大斜視図である。
【符号の説明】
【００４３】
１０  スポットライト
１１  筒体
１１ａ  突起
１２  支点
１３  蓋体
１４  レンズ
１５  凹面反射鏡
１５ａ  孔
１６  電球
１６ａ  管球
１６ｂ  口金
１６ｃ  フィラメント
１７  ソケット
１８  可動支持具
１９  接続具
１９ａ  基板
１９ｂ  可動アーム
２１ａ、２１ｂ  棒状支持電極
２２  電源ケーブル
２３  電気配線
２４ａ、２４ｂ  支持材
２５ａ、２５ｂ  ガイド軸
２６ａ、２６ｂ  ブシュ
２７  送りねじ
２７ａ  ねじ軸
２７ｂ  ナット
２８  支持板
２９  摘み
３１ａ、３１ｂ  バンドア
３２  カラーフィルタ
３３  軸
３４  仮止め具
３４ａ  突起
３４ｂ  操作部
３４ｃ  下端部
３５  取っ手
３６  ボルト
３７  環状の支持具
３８ａ、３８ｂ  反射鏡の頂部の移動方向を示す矢印
３９ａ、３９ｂ  通風機
４１  押さえ板
【図１】
2009181795.tif 000003
【図２】
2009181795.tif 000004
【図３】
2009181795.tif 000005
【図４】
2009181795.tif 000006
【図５】
2009181795.tif 000007